(57)【要約】【課題】販売等の際には外側から花卉等の装飾品を見ることができるとともに保護でき、別途花瓶等を用意しなくても、花卉等の装飾品を部屋等に手間なく容易に飾ることができる包装容器を提供する。【解決手段】内部に装飾品Ｆが収容される錐筒状の収容部材１と、小開口２ａから収容部材１に挿入されることで、大開口２ｂが収容部材１の開口１ａより突出した状態で、収容部材１の内面に係止する透明な錐台筒状の保護部材２とを備え、保護部材２は、その小開口２ａから収容部材１がその頂部１ｂから挿入された状態において、小開口２ａが収容部材１の側面に係止することで、当該収容部材１を起立した状態に保持する保持台２を兼ねているので、販売や贈呈の際には外側から花卉等の装飾品を見ることができるとともに保護でき、さらに、別途花瓶等を用意しなくても、花卉等の装飾品を部屋等に手間なく容易に飾ることができる。【選択図】図１
2018043768.tif 000002
【特許請求の範囲】
【請求項１】
花卉や造花等の装飾品を包装する包装容器であって、
錐筒状に形成され、内部に前記装飾品が収容される収容部材と、
錐台筒状に形成され、その小開口から前記収容部材に挿入されることで、大開口が前記収容部材の開口より突出した状態で、前記収容部材の内面に係止する透明な保護部材とを備え、
前記保護部材は、その小開口から前記収容部材がその頂部から挿入された状態において、前記小開口が前記収容部材の側面に係止することで、当該収容部材を起立した状態に保持する保持台を兼ねていることを特徴とする包装容器。
【請求項２】
前記保護部材の小開口から前記収容部材がその頂部から挿入されて、前記小開口が前記収容部材の側面に係止した状態において、前記収容部材の頂部が、前記保持台が載置されている載置面に接触可能となるように、前記収容部材の長さが設定されていることを特徴とする請求項１に記載の包装容器。
【請求項３】
前記収容部材の開口部に装飾用の少なくとも一対のリボンが当該開口部の径方向に対向して取り付けられ、
前記リボンの長さは、前記保護部材の大開口が前記収容部材の開口より突出した状態において、前記大開口上で結ぶことが可能な長さに設定されていることを特徴とする請求項１または２に記載の包装容器。
【発明の詳細な説明】
【技術分野】
【０００１】
本発明は、花卉や造花等の装飾品を包装する包装容器に関する。
【背景技術】
【０００２】
花卉や造花等の装飾品を販売したり、他人に贈呈したりする場合は、これらの装飾品を紙箱に入れたり、美麗な包装用紙で包んで取り扱うのが一般的である。
例えば、花卉を包装するための包装容器の一例として、特許文献１および特許文献２に記載のものが知られている。
特許文献１に記載の包装容器は、所定形状に打ち抜かれた１枚の板紙で組み立てられた三角錐状四面体からなるものである。
特許文献２に記載の包装容器は、水分を通さない箱の開口部に、必要に応じて、取り外しができる色付きシートを取り付け、持ち運び用のひもを付けたもので、花瓶と包装箱を兼用できるものである。
【先行技術文献】
【特許文献】
【０００３】
【特許文献１】特開２００４−２７６９９２号公報
【特許文献２】特開２００７−８４１４５号公報
【発明の概要】
【発明が解決しようとする課題】
【０００４】
しかしながら、特許文献１に記載の包装容器では、装飾品としての花卉を販売したり、贈呈する際に、花卉全体が包装容器内に収納されているので、販売や贈呈の際には外側から花卉を見ることができない。また、花卉を包装容器の開口から突出させることにより、外側から花卉を見ることはできるが、その反面、花卉に他の物が当たったりすると、花卉が傷付くおそれがある。さらに、花卉を部屋等に飾る場合、別途花瓶等が必要となる。
また、特許文献２に記載の包装容器では、透明色付きシートを通して内部の花卉を見ることはできるが、花卉を部屋等に飾る場合は透明色付きシートを取り外して、実際の花卉を露出させた方が好ましいため、透明色付きシートの取り外しに手間がかかるばかりか、当該シートを処分する必要もある。
【０００５】
本発明は前記事情に鑑みてなされたもので、販売や贈呈の際には外側から花卉等の装飾品を見ることができるとともに保護でき、さらに、別途花瓶等を用意しなくても、花卉等の装飾品を部屋等に手間なく容易に飾ることができる包装容器を提供することを目的としている。
【課題を解決するための手段】
【０００６】
前記目的を達成するために、本発明の包装容器は、花卉や造花等の装飾品を包装する包装容器であって、
錐筒状に形成され、内部に前記装飾品が収容される収容部材と、
錐台筒状に形成され、その小開口から前記収容部材に挿入されることで、大開口が前記収容部材の開口より突出した状態で、前記収容部材の内面に係止する透明な保護部材とを備え、
前記保護部材は、その小開口から前記収容部材がその頂部から挿入された状態において、前記小開口が前記収容部材の側面に係止することで、当該収容部材を起立した状態に保持する保持台を兼ねていることを特徴とする。
【０００７】
本発明においては、透明な保護部材は、それが収容部材に挿入されることで、当該保護部材の大開口が収容部材の開口から突出した状態で、収容部材の内面に係止するので、収容部材に花卉等の装飾品を収容してその上端部にある花びら等を収容部材の開口から突出している部分に位置させることによって、当該花びら等を透明な保護部材によって保護しつつ当該保護部材を通して見ることができる。
また、保護部材は、その小開口から収容部材が挿入された状態において、小開口が収容部材の側面に係止することで、当該収容部材を起立した状態に保持する保持台となるので、別途花瓶等を用意しなくても、花卉等の装飾品を部屋等に手間なく容易に飾ることができる。
【０００８】
本発明の前記構成において、前記保護部材の小開口から前記収容部材がその頂部から挿入されて、前記小開口が前記収容部材の側面に係止した状態において、前記収容部材の頂部が、前記保持台が載置されている載置面に接触可能となるように、前記収容部材の長さが設定されていてもよい。
【０００９】
このような構成によれば、収容部材の頂部が、保持台が載置されている載置面に接触することによって、収容部材が倒れるのを未然に防止でき、花卉等の装飾品を安定した状態で鑑賞できる。
【００１０】
また、本発明の前記構成において、前記収容部材の開口に装飾用の少なくとも一対のリボンが当該開口の径方向に対向して取り付けられ、
前記リボンの長さは、前記保護部材の大開口が前記収容部材の開口より突出した状態において、前記大開口上で結ぶことが可能な長さに設定されていてもよい。
【００１１】
このような構成によれば、保護部材の大開口が収容部材の開口より突出した状態で、リボンを大開口上で結ぶことにより、販売や贈呈の際の飾りになるとともに、花卉等の装飾品や保護部材の収容部材からの抜け出を防止できる。
【発明の効果】
【００１２】
本発明によれば、販売や贈呈の際には外側から花卉等の装飾品を見ることができるとともに保護でき、さらに、別途花瓶等を用意しなくても、花卉等の装飾品を部屋等に手間なく容易に飾ることができる。
【図面の簡単な説明】
【００１３】
【図１】本発明に係る包装容器の一例を示すもので、その斜視図である。
【図２】同、包装容器を載置した状態を示す斜視図である。
【図３】同、（ａ）は収容部材の斜視図、（ｂ）は収容部材の展開図、（ｃ）は収容部材の開口にリボンを取り付けた状態を示す要部の断面図である。
【図４】同、（ａ）は保護部材の斜視図、（ｂ）は保護部材の展開図である。
【図５】同、リボンを結んだ状態を示す包装容器の斜視図である。
【発明を実施するための形態】
【００１４】
以下、本発明の実施の形態について図面を参照して説明する。
図１は、本発明に係る包装容器の一例を示す斜視図、図２は当該包装容器を載置した状態を示す斜視図である。
本実施の形態の包装容器は、花卉や造花等の装飾品を包装するものであって、収容部材１と、保護部材２とを備えている。
【００１５】
収容部材１は、その開口１ａから内部に花卉等の装飾品（本実施の形態では花）Ｆが収容されるものであって、正四角錐筒状に形成されている。なお、収容部材１は正四角錐筒状に限らず、円錐筒状、楕円錐筒状、長円錐筒状、三角錐筒状、五角錐以上の多角錐筒状であってもよい。
収容部材１は、図３（ｂ）に示すように、所定形状に打ち抜かれた１枚の板紙３によって組み立てられたものである。板紙３は収容部材１の４つの側壁を形成する４つの側壁形成部材４を有しており、隣接する側壁形成部材４，４の境界線で折り曲げられるようになっている。
左側に位置する側壁形成部材４の一方の辺には、のり代片５が形成されている。そして、隣接する側壁形成部材４，４をその境界線で折り曲げて正四角錐筒状に形成するとともに、のり代片５を右側に位置する側壁形成部材４の辺部に重ねて貼り付けることによって、正四角錐筒状の収容部材１が形成される。
この収容部材１には、図１に示すように、その開口１ａから花Ｆが挿入され、この挿入された状態において、花びらが開口１ａから上方に突出している。
【００１６】
また、図３（ｂ）に示すように、各側壁形成部材４の底辺にはそれぞれ台形状の折込片６が形成されている。この折込片６は、図３（ａ）、（ｃ）に示すように、収容部材１の内側に向けて折り込まれ、側壁形成部材４の上縁部の内面との間にリボン７を挟んで、当該内面に接着されることにより、リボン７の基端部を側壁形成部材４の上縁部に固定している。
リボン７は４つの側壁形成部材４の上縁部にそれぞれ取り付けられており、収容部材１の開口１ａを挟んで対向して、２対、合計４つ取り付けられている。
【００１７】
保護部材２は、図４ａに示すように、正四角錐台筒状に形成されており、一方の端部に小開口２ａが形成され、他方の端部に、小開口２ａより大きい大開口２ｂが形成されていいる。なお、保護部材２は正四角錐台筒状に限らず、円錐台筒状、楕円台錐筒状、長円錐台筒状、三角錐台筒状、五角錐台以上の多角錐台筒状であってもよい。
保護部材２は、図４（ｂ）に示すように、所定形状に打ち抜かれた１枚の透明な樹脂製の板材１０によって組み立てられたものである。樹脂製の板材１０としては、例えば、ＰＰ樹脂やＰＥＴ樹脂等の透明な板材が挙げれられる。
【００１８】
板材１０は保護部材２の４つの側壁を形成する４つの側壁形成部材１１を有しており、隣接する側壁形成部材１１，１１の境界線で折り曲げられるようになっている。
左側に位置する側壁形成部材１１の一方の辺には、のり代片１２が形成されている。そして、隣接する側壁形成部材１１，１１をその境界線で折り曲げて正四角錐台筒状に形成するとともに、のり代片１２を右側に位置する側壁形成部材１１の辺部に重ねて貼り付けることによって、正四角錐台筒状の保護部材２が形成される。
【００１９】
このような保護部材２は、図１に示すように、その小開口２ａから収容部材１に挿入されることで、大開口２ｂが収容部材１の開口１ａより突出した状態で、収容部材１の内面に係止する。
すなわちまず、本実施の形態の包装容器を鉛直に立てた状態において、包装容器の鉛直な軸線に対する収容部材１の側壁のなす傾斜角度は、同軸線に対する保護部材２の側壁のなす傾斜角度とほぼ等しいか、若干大きくなっている。
また、保護部材２の小開口２ａは、収容部材１の開口１ａより小さく、かつ開口１ａから所定の深さ位置における収容部材１の水平断面とほぼ等しくなっている。また、保護部材２の大開口２ｂは収容部材１の開口１ａより大きくなっている。
【００２０】
したがって、保護部材２をその小開口２ａから収容部材１に開口１ａから挿入することで、小開口２ａは収容部材１の所定の深さ位置で止まり、この小開口２ａおよび当該小開口２ａより上側の側壁が、収容部材１の内側面に係止し、この状態において、保護部材２の大開口２ｂは、収容部材１の開口１ａより上方に突出した状態となる。一方、収容部材１に花Ｆを収容すると、その上端部の花びらが収容部材１の開口１ａから上方に突出するが、この花びらは開口１ａから突出している保護部材２の上部によって保護される。また、保護部材２は透明であるので、外から花びらを見ることができる。
【００２１】
この状態において、保護部材２は収容部材１に挿入されて係止され、この収容部材１に花Ｆが収容されているだけであるので、花の販売や贈呈等の際に収容部材１から保護部材２や花Ｆが抜け出すおそれがある。
このため、本実施の形態では、上述したように、収容部材１の開口１ａの縁部（４つの側壁形成部材４の上縁部）に、２対、合計４つのリボン７が開口１ａを挟んで対向して取り付けられている。
そしてリボン７の長さは、保護部材２の大開口２ｂが収容部材１の開口１ａより突出した状態において、大開口２ｂ上で結ぶことが可能な長さに設定されている。
つまり、図５に示すように、２対のリボン７はそれぞれ、収容部材１の開口１ａから突出している保護部材２の上部の４つの側面をそれぞれ上方に延在するようにして延び、大開口２ｂの縁でそれぞれ内側に折曲されて、当該大開口２ｂの略中央部で結ぶことができるような、長さに設定されている。
【００２２】
このように、収容部材１に花Ｆが収容されるとともに、保護部材２によって保護され、さらにリボン７が結ばれた包装容器は、販売や贈呈がなされた後、以下のようにして載置される。
すなわち、保護部材２は、リボン７を解いた後、花Ｆが収容部材１に収容されている状態で、収容部材１から引き抜かれ、図２に示すように、上下を逆にして載置面Ｓに載置される。つまり大開口２ｂを下にして当該大開口２ｂの縁が載置面Ｓに載置される。
そして、保護部材２は、その小開口２ａから収容部材１がその頂部１ｂから挿入されており、この状態において、小開口２ａが収容部材１の側面に係止することで、当該収容部材１を起立した状態に保持する保持台２を兼ねている。なお、収容部材１には、リボン７が取り付けられているが、当該リボン７は、図２に示すように、収容部材１から取り外してもよいし、そのまま取り付けた状態としてもよい。
また、小開口２ａが収容部材１の側面に係止した状態において、当該収容部材１の頂部１ｂが、保持台２が載置されている載置面Ｓに接触可能となるように、収容部材１の長さが設定されている。このため、保護部材２に挿入された収容部材１はその頂部１ｂが載置面Ｓに接触しており、これによって、収容部材１は載置面Ｓとの摩擦力によって倒れるのが防止されている。
【００２３】
以上のように本実施の形態の包装容器によれば、透明な保護部材２は、それが収容部材１に挿入されることで、当該保護部材２の大開口２ｂが収容部材１の開口１ａから突出した状態で、収容部材１の内面に係止するので、収容部材１に花Ｆを収容してその上端部にある花びらを収容部材１の開口１ａから突出している部分に位置させることによって、当該花びらを透明な保護部材２によって保護しつつ当該保護部材２を通して見ることができる。
また、保護部材２にその小開口２ａから収容部材１が挿入された状態において、小開口２ａが収容部材１の側面に係止することで、当該収容部材１を起立した状態に保持する保持台２となるので、別途花瓶等を用意しなくても、花Ｓを部屋等に手間なく容易に飾ることができる。
【００２４】
さらに、収容部材１の頂部１ｂが、保持台２が載置されている載置面Ｓに接触することによって、収容部材１が倒れるのを未然に防止でき、花Ｓを安定した状態で鑑賞できる。
加えて、保護部材２の大開口２ｂが収容部材１の開口１ａより突出した状態で、リボン７を大開口２ｂ上で結ぶことにより、販売や贈呈の際の飾りになるとともに、花Ｆや保護部材２の収容部材１からの抜け出を防止できる。
【００２５】
なお、本実施の形態では、収容部材１を紙で形成したが、これに代えて、透明な樹脂板によって形成してもよい。
【符号の説明】
【００２６】
１  収容部材
１ａ  開口
１ｂ  頂部
２  保護部材（保持台）
２ａ  小開口
２ｂ  大開口
７  リボン
Ｆ  花（装飾品）
Ｓ  載置面
【図１】
2018043768.tif 000003
【図２】
2018043768.tif 000004
【図３】
2018043768.tif 000005
【図４】
2018043768.tif 000006
【図５】
2018043768.tif 000007